(57)【要約】【課題】簡便、かつ安価で、人体への害が少なく、また情報記録用紙への印刷性にも優れたブランケット汚れを改善したオフセット印刷方法を提供するものである。【解決手段】オフセット印刷用インキ中に、ヘキサメタリン酸ナトリウム水溶液を固形分換算で１〜３質量％含有させて印刷することを特徴とするブランケット汚れを改善したオフセット印刷方法。また、３０秒コッブサイズ度２５ｇ／ｍ２以下の情報用紙を用い、オフセット印刷用インキ中に、ヘキサメタリン酸ナトリウム水溶液を固形分換算で１〜２質量％含有させて印刷することを特徴とするブランケット汚れを改善したオフセット印刷方法。【選択図】  なし【特許請求の範囲】
【請求項１】
オフセット印刷用インキ中に、ヘキサメタリン酸ナトリウム水溶液を固形分換算で１〜３質量％含有させて印刷用紙に印刷することを特徴とするブランケット汚れを改善したオフセット印刷方法。
【請求項２】
３０秒コッブサイズ度２５ｇ／ｍ２以下の情報用紙を用い、オフセット印刷用インキ中に、ヘキサメタリン酸ナトリウム水溶液を固形分換算で１〜２質量％含有させて印刷することを特徴とするブランケット汚れを改善したオフセット印刷方法。
【発明の詳細な説明】
【０００１】
【発明の属する技術分野】
本発明は、ブランケット汚れを改善したオフセット印刷方法に関するものであり、さらに詳しくは簡便、かつ安価で、人体への害が少なく、また情報記録用紙への印刷性にも優れたブランケット汚れを改善したオフセット印刷方法に関するものである。
【０００２】
【従来の技術】
数ある印刷方式の中で、印刷速度が速く、生産性に優れるという点で、オフセット印刷が広く用いられている。これは、墨、藍、紅、黄の４色の胴によってあらゆる画像を再現する方法であり、これは、一般にはＰＳ版というアルミ版を用いて行われる方法である。このＰＳ版には、アルミ板上に感光性樹脂が塗布されており、予め印刷原稿が記されたフィルムを通して露光、現像することによりＰＳ版上に原稿が再現される。
【０００３】
ＰＳ版の疎水部分には、インキが付着、ブランケットを通して紙へ転写されることで印刷物が作成され、それとは逆に、ＰＳ版の親水性部分には、水が付着し、印刷時の汚れなどを防ぐ働きがある。オフセット印刷において使用される水は、給湿液と呼ばれ、一般的には、水、イソプロピルアルコール、オフセット印刷給湿液用希釈物の混合物である。この給湿液は、循環タンクを通して、墨、藍、紅、黄の各胴のＰＳ版に供給される。この循環タンクは、印刷機一台毎に設置されている場合もあるが、複数の印刷機に対して一台の循環タンクが使用される場合も多々ある。その場合、ある印刷機では良好に印刷できているが、同じ循環タンクを使用する別の印刷機ではトラブルが発生するということがあり得る。
【０００４】
高速印刷が可能、生産性が高いという利点を有するオフセット印刷であるが、このオフセット印刷方式特有のブランケット汚れという問題が発生する場合がある。
【０００５】
このブランケット汚れは、インキの種類、インキの色、印刷される用紙の種類などによりその発生の度合いが異なる。
【０００６】
このブラン汚れを解消するために、給湿液の量を増加させることが最も簡単に行われる手法であるが、過剰になってしまうと版上に展開されるインキの量が減少し、印刷濃度が低下してしまう。
【０００７】
このブランケット汚れが発生する原因として、インキが給水液によって乳化しすぎ、ＰＳ版の非画線部に極微量のインキが付着し、さらにそれがブランケットに転写、堆積していくことにより、ブランケット汚れが発生してしまうことが挙げられる。
【０００８】
極微量のインキがＰＳ版の非画線部に付着したとしても、印刷用紙の吸水性が高ければ、ブランケットに堆積することはなく、従って、ブランケット汚れに対しては用紙の果たす役割も大きいと言える。
【０００９】
これまで、チラシ、広告などの商業印刷物、あるいは出版、書籍などに使用される印刷用塗工紙については、印刷適性改良のために種々の検討がなされている。
【００１０】
印刷用塗工紙の印刷適性、特にウェットピック、インキ受理性などを改良するために、尿素−ポリアミド樹脂、尿素−ホルムアルデヒド樹脂またはポリアミドポリ尿素−ホルムアルデヒド樹脂などを使用する方法についての検討が行われている（例えば、特許文献１参照。）。
【００１１】
また、近年では、本来コンピューターなどのアウトプットとして使用される感熱記録紙、感圧複写紙、圧着はがき用紙など、従来オフセット印刷を求められなかった情報用紙の分野で使用される用紙についても印刷される場合が多々見受けられるようになってきた。
【００１２】
これらの情報用紙は印刷用塗工紙と異なり、コンピューターなどのアウトプットとして使用されるがために、尿素−ポリアミド樹脂などを添加する方法は感熱記録用紙、感圧複写紙などの発色濃度などを著しく低下させてしまう。
【００１３】
一般に、これらの情報用紙は印刷用塗工紙と比較して、印刷適性、特に用紙のドライピック、ウェットピック、インキ着肉性が劣る。それは用紙の最も表層の塗層成分、すなわちインキと接触する塗層成分が特許文献２の実施例１に示すように印刷用塗工紙の塗工成分に占める顔料の割合が約８７質量％であるのに対して、情報用紙の場合は特許文献３の実施例１に示す様に顔料成分が約８質量％とインキ受容成分が大きく異なることに起因する。これらの顔料成分が少ないと、コッブサイズ度も低くなりがちである。
【００１４】
このブラン汚れを解消するために給湿液の量を増加させることが最も簡単で、直接的な手法であるが、過剰になってしまうと版上に展開されるインキの量が減少し、印刷濃度が低下してしまう。
【００１５】
従来より、オフセット印刷用給湿液の希釈物については、種々の検討が行われている（例えば、特許文献４〜６参照。）が、これらの給湿液は非常に高価であり、また、給湿液として循環タンクに添加されると、複数の印刷機に対してこの給湿液が供給される場合、ある印刷機ではブランケット汚れが発生し易くなるがするが、ある印刷機では濃度低下が起こりやすくなるという相反する問題が同時に発生するという状況が起こりうる。
【００１６】
また、インキ製造時に界面活性剤を添加するという方法も行われる（例えば、特許文献７参照。）が、このような界面活性剤は高価であり、かつ製造段階で混和されているために印刷機ごとに個別のインキ、個別の用紙を印刷する時には対応しにくい。
【００１７】
【特許文献１】
特開昭４４−１１６６７号公報
【特許文献２】
特開平７−１７３７９８号公報
【特許文献３】
特開昭５９−２２５９８７号公報
【特許文献４】
特開平６−２１９０７６号公報
【特許文献５】
特開平１０−１８１２３４号公報
【特許文献６】
特開２００１−２６０５５９号公報
【特許文献７】
特開平４−１２７９号公報
【００１８】
【発明が解決しようとする課題】
従って、本発明の目的は、簡便、かつ安価で、人体への害が少なく、また情報記録用紙への印刷性にも優れたブランケット汚れを改善したオフセット印刷方法を提供するものである。
【００１９】
【課題を解決するための手段】
本発明者らは、上記に鑑み鋭意検討した結果、本発明のブランケット汚れを改善したオフセット印刷方法を発明するに至った。
【００２０】
すなわち、本発明のブランケット汚れを改善したオフセット印刷方法は、オフセット印刷用インキ中に、ヘキサメタリン酸ナトリウム水溶液を固形分換算で１〜３質量％含有させて印刷用紙に印刷することを特徴とするものである。
【００２１】
また、本発明のブランケット汚れを改善したオフセット印刷方法は、３０秒コッブサイズ度２５ｇ／ｍ２以下の情報用紙を用い、オフセット印刷用インキ中に、ヘキサメタリン酸ナトリウム水溶液を固形分換算で１〜２質量％含有させて印刷することを特徴とするものである。
【００２２】
【発明の実施の形態】
以下、本発明のブランケット汚れを改善したオフセット印刷方法について、詳細に説明する。
【００２３】
一般に、オフセット印刷機で使用される酸性給湿液の給湿液用希釈物にはアラビアゴム、リン酸、リン酸アンモニウム、硝酸アンモニウムなどが配合されている。「現代の湿し水」（近畿印刷機材協議会編、印刷の世界社）によれば、これはアラビアゴムの主成分とされるアラボン酸の酸性領域における高い親水化作用を利用し、刷版の非画線部にインキが付着するのを予防しようとする試みである。
【００２４】
第１に、本発明のブランケット汚れを改善したオフセット印刷方法は、オフセット印刷用インキ中に、ヘキサメタリン酸ナトリウム水溶液を固形分換算で１〜３質量％含有させ、これを用いて印刷用紙に印刷するものである。
【００２５】
本発明に用いられるオフセット印刷用インキは、オフセット枚葉印刷用インキ、オフセット輪転印刷用インキ、紫外線硬化型インキなど、通常公知の市販されているオフセット印刷用インキ全てに使用することができ、該インキ中にヘキサメタリン酸ナトリウム水溶液として混合し、混和させて使用するもので、該ヘキサメタリン酸ナトリウムが固形分換算で該インキ中に１〜３質量％含有される。
【００２６】
ここで、ヘキサメタリン酸ナトリウムが１質量％未満では、ブランケット汚れ軽減の効果が余りなく、また、３質量％を超えて多いと、印刷濃度が低下して実用に耐えなくなってしまう。
【００２７】
本発明において、オフセット印刷用インキ中に添加されるヘキサメタリン酸ナトリウム水溶液は、液濃度が１０〜４０質量％、好ましくは２０〜３０質量％である。
【００２８】
ここで、ヘキサメタリン酸ナトリウム水溶液の液濃度が１０質量％より低いと、オフセット印刷用インキと良好に混和しにくく、また、４０質量％を超えると水に対する溶解性が困難になる。
【００２９】
本発明において、オフセット印刷用インキに対し、ヘキサメタリン酸ナトリウム水溶液を混合し、混和させる方法としては、通常の攪拌機を用い、一定量の該インキ中にヘキサメタリン酸ナトリウム水溶液を攪拌させながら徐々に添加することで可能である。この場合、強攪拌による空気の混入に注意を要する。
【００３０】
第２に、本発明のブランケット汚れを改善したオフセット印刷方法は、コッブサイズ度２５ｇ／ｍ２以下の情報用紙を用い、オフセット印刷用インキ中に、ヘキサメタリン酸ナトリウム水溶液を固形分換算で１〜２質量％含有させて印刷するものである。
【００３１】
上記発明において、オフセット印刷用インキ中に、ヘキサメタリン酸ナトリウムが１質量％未満ではブランケット汚れ軽減の効果があまりなく、また、２質量％を超えて多いとインキの流動性が高くなりすぎ、ＰＳ版の非画線部に付着するインキの量が多くなるために、コブサイズ度の高い用紙に印刷した場合、用紙のインキ吸収性が悪くなり、画線部のブランパイリングが発生してしまう。
【００３２】
また、通常印刷適性を改良するために使用されるコンパウンド、レジウサー、００−ワニスなどと同時に使用することができる。
【００３３】
上記発明において、印刷に供される情報用紙としては、例えば、感熱記録紙、感圧複写紙、圧着はがき用紙などのコンピューター帳票のアウトプットとして使用されるものが挙げられる。
【００３４】
【実施例】
以下、実施例により本発明を詳しく説明するが、本発明の内容は実施例に限られるものではない。
【００３５】
実施例１
オフセット印刷用インキ（Ｔ＆Ｋ  ＴＯＫＡ製ＢＥＳＴＣＵＲＥ  ＵＶ−ＲＮＣ藍）４９９ｇを投入した容器に、２０％ヘキサメタリン酸ナトリウム水溶液５ｇを添加し、インキヘラを使用して手動で混和し、十分に混和して後、これをオフセット輪転印刷機（ＭＶＦ−１８Ｄ；株式会社ミヤコシ製）に導入し、給湿液として５％ＩＰＡ−０．２％ＳＥＶＥＮＳＴＡＲ（大日精化社製）の混合液、刷版として０．２４ｍｍのＦＮＳ−Ａ（富士写真フィルム社製）を使用し、印刷速度１５０ｍ／ｍｉｎにて三菱ダイヤフォームＮ５５（三菱製紙社製）に印刷した。
【００３６】
実施例２〜３および比較例１〜３
実施例１におけるオフセット印刷用インキ中に含有するヘキサメタリン酸ナトリウムの添加量を表１に示した以外は実施例１と同様にして印刷した。
【００３７】
上記実施例および比較例により印刷した後、下記の評価方法により評価し、その結果を表１に示した。
【００３８】
＜ブランケット汚れ＞
３０００ｍの印刷終了後、ブランケット汚れについて、目視観察し、ブランケットの非画線部にブランケット汚れが発生していない状態を５、全面にブランケット汚れが発生している状態を０とした。許容範囲は３である。
【００３９】
＜印刷濃度＞
ベタ部の印刷濃度について反射型濃度計「Ｘ−ＲＩＴＥ４１８」（日本平版機材社製）を使用して測定した。印刷濃度は１．１５を目標とし、１．０５以上を許容範囲とした。
【００４０】
【表１】
2004292553.tif 000002
【００４１】
評価：ヘキサメタリン酸ナトリウムの量が１〜３質量％含有して印刷した実施例１〜３は印刷濃度も許容範囲にあり、かつブランケット汚れも少なく印刷することが可能であった。しかし、ヘキサメタリン酸ナトリウムの量が少ない比較例１〜２は許容範囲にあるものの、ブランケット汚れは良くはない。また、ヘキサメタリン酸ナトリウムを３．５質量％添加した比較例３はブランケット汚れは少なく、改良効果は観察されるが印刷濃度は極端に低下してしまい、実用に耐えるものではない。よって、ヘキサメタリン酸ナトリウムを１〜３質量％インキに添加して印刷することにより、印刷濃度を高めに保ったまま、ブランケット汚れを少なくすることが出来る。
【００４２】
＜第２の発明＞
実施例４
オフセット印刷用インキ（Ｔ＆Ｋ  ＴＯＫＡ製ＢＥＳＴＣＵＲＥ  ＵＶ−ＲＮＣ藍）４９９ｇを投入した容器に、２０％ヘキサメタリン酸ナトリウム水溶液５ｇを添加し、インキヘラを使用して手動で混和し、十分に混和して後、これをオフセット輪転印刷機（ＭＶＦ−１８Ｄ；株式会社ミヤコシ製）に導入し、給湿液として５％ＩＰＡ−０．２％ＳＥＶＥＮＳＴＡＲ（大日精化社製）の混合液、刷版として０．２４ｍｍのＦＮＳ−Ａ（富士写真フィルム社製）を使用し、印刷速度１５０ｍ／ｍｉｎにて、３０秒コッブサイズ度が２３ｇ／ｍ２の感熱記録紙（三菱感熱紙ＨＳ２２０Ａ、三菱製紙社製）を用いて印刷した。
【００４３】
実施例５〜６および比較例４〜６
実施例４におけるオフセット印刷用インキ中に含有するヘキサメタリン酸ナトリウムの添加量、印刷用紙を表２に示した以外は実施例４と同様にして印刷した。
【００４４】
上記実施例および比較例により印刷した後、下記の評価方法により評価し、その結果を表２に示した。
【００４５】
＜３０秒コッブサイズ度＞
ＪＩＳ  Ｐ−８１４０「紙および板紙の吸水度試験方法（コッブ法）」に示す方法で紙面上に水を添加し、３０秒間でどの程度の水を吸収するかを測定する。
【００４６】
＜ブランケット汚れ＞
３０００ｍの印刷終了後、非画線部のブランケット汚れについて、目視観察し、ブランケットの非画線部にブランケット汚れが発生していない状態を５、全面にブランケット汚れが発生している状態を０とした。許容範囲は３である。
【００４７】
＜ブランケットバイリング＞
３０００ｍの印刷終了後、画線部のブランケットパイリングについて目視観察し、ブランケットの画線部にブランケットパイリングが全く発生していない状態を５、全面に発生している状態を０とした。許容範囲は３である。
【００４８】
【表２】
2004292553.tif 000003
【００４９】
３０秒コッブサイズ度２５ｇ／ｍ２以下の感熱記録紙を印刷するときに、インキ中に添加したヘキサメタリン酸ナトリウムの添加量が１〜２質量％の実施例４〜６は非画線部の汚れ、画線部のブランパイル共に良好でありヘキサメタリン酸ナトリウム添加の効果が現れている。また、３０秒コッブサイズ度が２５ｇ／ｍ２の感熱記録紙を使用した場合にヘキサメタリン酸ナトリウムを添加しなかった比較例４は画線部の汚れは発生していないものの、非画線部の汚れが発生している。また、ヘキサメタリン酸ナトリウムを２．５質量％添加した比較例５は非画線部の汚れは改良されているものの、画線部の汚れが大きく悪化している。よって３０秒コッブサイズ度２５ｇ／ｍ２以下の情報用紙を印刷するときに、ヘキサメタリン酸を１〜２質量％添加することにより非画線部ブランケット汚れを改良し、画線部ブランケット汚れを出さずに印刷することが出来る。
【００５０】
【発明の効果】
上記のとおり、本発明のブランケット汚れを改善したオフセット印刷方法は、オフセット印刷用インキ中にヘキサメタリン酸ナトリウムを特定量含有させることによって、ブランケット汚れを抑えることができる。